(57)【要約】【課題】振動をトリガーとして発光ダイオードを点灯させることができる発光装置を提供する。【解決手段】発光装置１０Ａでは、ピエゾ発電素子１６に生じた電圧が第２スイッチング素子１５に印加されると、第２スイッチング素子１５がＯＮ状態になり、第２スイッチング素子１５がＯＮ状態になると、ボタン電池１１からコンデンサー１４に所定の電圧が印加されてコンデンサー１４に電荷が蓄えられ、コンデンサー１４がそこに蓄えられた電荷を第１スイッチング素子１３に放出すると、第１スイッチング素子１３がＯＮ状態となり、コンデンサー１４に蓄えられた電荷の放出中にボタン電池１１から発光ダイオード１２に所定の電圧が印加されて発光ダイオード１２が発光する。【選択図】図１
2011159935.tif 000002
【特許請求の範囲】
【請求項１】
直流電源と、前記直流電源から印加された電圧に応じて発光する発光素子と、前記発光素子に印加される電圧をＯＮ／ＯＦＦする第１スイッチング素子と、前記第１スイッチング素子をＯＮさせるための電荷を蓄えるコンデンサーと、前記コンデンサーに印加される電圧をＯＮ／ＯＦＦする第２スイッチング素子と、前記第２スイッチング素子をＯＮさせる圧電素子とを含み、
前記直流電源に対して前記発光素子と前記第１スイッチング素子とが並列に接続され、前記直流電源に対して前記コンデンサーと前記第２スイッチング素子とが並列に接続されるとともに、前記圧電素子がそれに生じた電圧によって前記第２スイッチング素子をＯＮ状態にし得るように該第２スイッチング素子に接続され、
前記圧電素子に生じた電圧が前記第２スイッチング素子に印加されると、前記第２スイッチング素子がＯＮ状態になり、前記第２スイッチング素子がＯＮ状態になると、前記直流電源から前記コンデンサーに所定の電圧が印加されて該コンデンサーに電荷が蓄えられ、前記コンデンサーがそこに蓄えられた電荷を前記第１スイッチング素子に放出すると、前記第１スイッチング素子がＯＮ状態となり、前記コンデンサーに蓄えられた電荷の放出中に前記直流電源から前記発光素子に所定の電圧が印加されて該発光素子が発光することを特徴とする発光装置。
【請求項２】
前記発光装置が、前記第２スイッチング素子と前記圧電素子との導通をＯＮ／ＯＦＦする光検出器を含み、前記発光装置では、前記光検出器が設定量以上の光を検出中に、前記第２スイッチング素子と前記圧電素子との導通がＯＦＦ状態になる請求項１に記載の発光装置。
【請求項３】
前記発光装置では、前記コンデンサーの静電容量を変更することによって、前記発光素子の発光時間を変更可能である請求項１または請求項２に記載の発光装置。
【請求項４】
前記発光装置では、前記圧電素子の発電量を変更することによって、前記発光素子の発光時間を変更可能である請求項１ないし請求項３いずれかに記載の発光装置。
【請求項５】
前記発光素子が、発光ダイオードである請求項１ないし請求項４いずれかに記載の発光装置。
【請求項６】
前記発光装置が、前記発光素子を包被しつつ該発光素子から発生した光を放射可能な電飾用カバーと、前記電飾用カバーにつながって該発光装置を収容するケーシングとを含み、前記発光装置と前記電飾用カバーと前記ケーシングとが、前記圧電素子に所定の振動エネルギーを加えたときに前記発光素子が発光する振動発光電飾ライトを形成している請求項１ないし請求項５いずれかに記載の発光装置。
【請求項７】
前記発光装置が、前記発光素子を包被しつつ該発光素子から発生した光を放射可能なカバーと、前記カバーにつながって該発光装置を収容するケーシングとを含み、前記発光装置と前記カバーと前記ケーシングとが、前記圧電素子に所定の振動を伝える振動伝達器具に設置され、前記振動伝達器具から前記圧電素子に所定の振動エネルギーが伝わると前記発光素子が発光する振動発光誘導ライトを形成している請求項１ないし請求項５いずれかに記載の発光装置。
【発明の詳細な説明】
【技術分野】
【０００１】
本発明は、発光装置に関する。
【背景技術】
【０００２】
発光ダイオードと、外部の調光器からの出力を発光ダイオードを点灯させるための電力に変換して出力する点灯回路とを備えた照明装置がある（特許文献１参照）。点灯回路は、調光器からの出力を制御するスイッチ素子と、スイッチ素子によって制御された出力が入力側に入力されると、それを変換して二次側に接続された発光ダイオードに出力するとともに、所定の巻線部からスイッチ素子の作動用出力を発生する出力トランスと、調光器の出力値が設定値よりも低いか否かを検出する検出回路と、検出回路によって調光器の出力値が設定値よりも低いことが検出されると、作動用出力を制御することによってスイッチ素子の作動を制御し、出力トランスの出力を停止または低下させる制御回路とから形成されている。
【０００３】
この照明装置は、調光がなされていない場合、安定した状態で発光ダイオードを点灯させることができ、調光によって調光器からの出力電圧が設定値よりも低くなったことを検出部が検出すると、制御回路が巻線部からの作動用出力を制御し、ＩＣの作動を停止させ、発光ダイオードを強制的に消灯させる。したがって、設定値を発光ダイオードのちらつきが発生すると想定される値に設定すれば、ちらつきが発生する前に発光ダイオードを消灯させることができる。
【先行技術文献】
【特許文献】
【０００４】
【特許文献１】特開２００５−１１７３９号公報
【発明の概要】
【発明が解決しようとする課題】
【０００５】
前記特許文献１に開示の照明装置は、点灯回路によって発光ダイオードの点灯、消灯をコントロールしているが、照明装置に伝達される振動をトリガーとして発光ダイオードを点灯させることはなく、振動を受けたときに発光ダイオードを点灯させる用途に使用することはできない。また、制御回路にＩＣを使用しているから、発光ダイオードの消灯中であってもＩＣを安定的に動作させるために所定の電圧をＩＣに加えておく必要があり、その分の電気を消費し、装置における省電力化を図ることができない。
【０００６】
本発明の目的は、振動をトリガーとして発光素子を点灯させることができ、振動を受けたときに発光素子を点灯させる用途に使用することができる発光装置を提供することにある。本発明の他の目的は、消灯中に無駄な電力を消費することがなく、省電力化を図ることができる発光装置を提供することにある。
【課題を解決するための手段】
【０００７】
前記課題を解決するための本発明の発光装置は、直流電源と、直流電源から印加された電圧に応じて発光する発光素子と、発光素子に印加される電圧をＯＮ／ＯＦＦする第１スイッチング素子と、第１スイッチング素子をＯＮさせるための電荷を蓄えるコンデンサーと、コンデンサーに印加される電圧をＯＮ／ＯＦＦする第２スイッチング素子と、第２スイッチング素子をＯＮさせる圧電素子とを含み、直流電源に対して発光素子と第１スイッチング素子とが並列に接続され、直流電源に対してコンデンサーと第２スイッチング素子とが並列に接続されるとともに、圧電素子がそれに生じた電圧によって第２スイッチング素子をＯＮ状態にし得るように第２スイッチング素子に接続され、圧電素子に生じた電圧が第２スイッチング素子に印加されると、第２スイッチング素子がＯＮ状態になり、第２スイッチング素子がＯＮ状態になると、直流電源からコンデンサーに所定の電圧が印加されてコンデンサーに電荷が蓄えられ、コンデンサーがそこに蓄えられた電荷を第１スイッチング素子に放出すると、第１スイッチング素子がＯＮ状態となり、コンデンサーに蓄えられた電荷の放出中に直流電源から発光素子に所定の電圧が印加されて発光素子が発光することにある。
【０００８】
本発明にかかる発光装置の一例としては、発光装置が第２スイッチング素子と圧電素子との導通をＯＮ／ＯＦＦする光検出器を含み、発光装置では、光検出器が設定量以上の光を検出中に、第２スイッチング素子と圧電素子との導通がＯＦＦ状態になる。
【０００９】
本発明にかかる発光装置の他の一例として、発光装置では、コンデンサーの静電容量を変更することによって、発光素子の発光時間を変更可能である。
【００１０】
本発明にかかる発光装置の他の一例として、発光装置では、圧電素子の発電量を変更することによって、発光素子の発光時間を変更可能である。
【００１１】
本発明にかかる発光装置の他の一例としては、発光素子が発光ダイオードである。
【００１２】
本発明にかかる発光装置の他の一例としては、発光装置が、発光素子を包被しつつ発光素子から発生した光を放射可能な電飾用カバーと、電飾用カバーにつながって発光装置を収容するケーシングとを含み、発光装置と電飾用カバーとケーシングとが、圧電素子に所定の振動エネルギーを加えたときに発光素子が発光する振動発光電飾ライトを形成している。
【００１３】
本発明にかかる発光装置の他の一例としては、発光装置が、発光素子を包被しつつ発光素子から発生した光を放射可能なカバーと、カバーにつながって発光装置を収容するケーシングとを含み、発光装置とカバーとケーシングとが、圧電素子に所定の振動を伝える振動伝達器具に設置され、振動伝達器具から圧電素子に所定の振動エネルギーが伝わると発光素子が発光する振動発光誘導ライトを形成している。
【発明の効果】
【００１４】
本発明に係る発光装置によれば、振動が圧電素子に伝達され、それによって圧電素子に生じた電圧が第２スイッチング素子に印加されると、第２スイッチング素子がＯＮ状態になり、第２スイッチング素子がＯＮ状態になると、直流電源からコンデンサーに所定の電圧が印加されてコンデンサーに電荷が蓄えられ、コンデンサーがそこに蓄えられた電荷を第１スイッチング素子に放出すると、第１スイッチング素子がＯＮ状態となるから、コンデンサーに蓄えられた電荷の放出中（放電時間内）に直流電源から発光素子に所定の電圧が印加されて発光素子が発光する。したがって、振動をトリガーとして発光素子を点灯させることができ、振動を受けたときにのみ発光素子を点灯させる用途に使用することができる。発光装置は、コンデンサーからの電荷の放出が停止すると、第１スイッチング素子がＯＦＦ状態となり、直流電源から発光素子への電圧の印加が停止して発光素子が消灯するから、振動が停止した後に発光素子の発光が継続することはなく、直流電源における消費電力を少なくすることができる。また、コンデンサーからの電荷の放出が徐々に少なくなるから、発光素子がゆっくりと消灯し、発光素子が瞬時に消灯することはない。この発光装置は、それにデジタル回路が使用されておらず、デジタル回路を安定的に動作させるために所定の電圧をデジタル回路に加えておく必要はなく、装置における省電力化を図ることができる。
【００１５】
第２スイッチング素子と圧電素子との導通をＯＮ／ＯＦＦする光検出器を含み、光検出器が設定量以上の光を検出中に、第２スイッチング素子と圧電素子との導通がＯＦＦ状態になる発光装置は、光検出器を利用することで、周囲の明暗によって発光素子を明滅させることができるから、発光素子の発光の必要がない昼間等において発光素子の無駄な発光を防ぐことができ、装置における省電力化を図ることができる。この発光装置は、発光素子の発光が必要な夜間等において発光装置に振動が伝達されると、発光素子が発光するから、振動を受けたときであって発光が必要なときに発光素子を点灯させる用途に使用することができる。
【００１６】
コンデンサーの静電容量を変更することによって発光素子の発光時間を変更可能な発光装置は、コンデンサーの静電容量を大きくすることで、コンデンサーに蓄電される電荷の量が多くなるから、コンデンサーから第１スイッチング素子への電荷の放電時間が長くなり、発光素子への電圧の印加時間が長くなってその分発光素子の発光時間を長くすることができる。逆に、コンデンサーの静電容量を小さくすることで、コンデンサーに蓄電される電荷の量が少なくなるから、コンデンサーから第１スイッチング素子への電荷の放電時間が短くなり、発光素子への電圧の印加時間が短くなってその分発光素子の発光時間を短くすることができる。この発光装置は、コンデンサーの静電容量を調節することによって、発光素子の発光時間を自由に変えることができ、発光素子の発光時間を装置の用途に対応させることができる。
【００１７】
圧電素子の発電量を変更することによって発光素子の発光時間を変更可能な発光装置は、圧電素子の発電量を多くすることで、第２スイッチング素子のＯＮ状態が長くなり、その分コンデンサーに蓄電される電荷の量が多くなるから、コンデンサーから第１スイッチング素子への電荷の放電時間が長くなり、発光素子への電圧の印加時間が長くなって発光素子の発光時間を長くすることができる。逆に、圧電素子の発電量を少なくすることで、第２スイッチング素子のＯＮ状態が短くなり、その分コンデンサーに蓄電される電荷の量が少なくなるから、コンデンサーから第１スイッチング素子への電荷の放電時間が短くなり、発光素子への電圧の印加時間が短くなって発光素子の発光時間を少なくすることができる。この発光装置は、圧電素子の発電量を調節することによって、発光素子の発光時間を自由に変えることができ、発光素子の発光時間を装置の用途に対応させることができる。
【００１８】
発光素子が発光ダイオードである発光装置は、少ない電力で発光ダイオードが発光するから、に発光素子における消費電力を少なくすることができ、装置における省電力化を図ることができる。この発光装置は、振動をトリガーとして発光ダイオードを点灯させることができ、振動を受けたときに発光ダイオードを点灯させる用途に使用することができる。
【００１９】
発光素子を包被しつつ発光素子から発生した光を放射可能な電飾用カバーと、その電飾用カバーにつながって発光装置を収容するケーシングとを含み、圧電素子に所定の振動エネルギーを加えたときに発光素子が発光する振動発光電飾ライトを形成する発光装置は、それを振動によって発光する電飾ライトとして利用することができ、電飾用カバーを種々の形状にすることで、様々な形態の電飾ライトにすることができる。
【００２０】
発光素子を包被しつつ該発光素子から発生した光を放射可能なカバーと、そのカバーにつながって発光装置を収容するケーシングとを含み、圧電素子に所定の振動を伝える振動伝達器具に設置され、振動伝達器具から圧電素子に所定の振動エネルギーが伝わると発光素子が発光する振動発光誘導ライトを形成する発光装置は、それを振動伝達器具の所定の箇所に取り付けることで、それを振動によって発光する夜間の誘導ライトとして利用することができる。発光装置は、受光素子が設定量以上の光を検出中に、第２スイッチング素子と圧電素子との導通がＯＦＦ状態になるから、外部が明るい昼間等において発光素子の発光を止めることができ、誘導を必要とする外部が暗い夜間等にのみ発光素子を発光させることができる。この発光装置は、光が必要な場合にのみ発光素子を発光させることができるから、光が不必要な場合にまで発光素子を発光させる場合と比較し、直流電源の消費電力を少なくすることができ、電源を長持ちさせることができる。
【図面の簡単な説明】
【００２１】
【図１】一例として示す発光装置の回路図。
【図２】発光装置を利用した一例として示す振動発光電飾ライトの斜視図。
【図３】他の一例として示す発光装置の回路図。
【図４】発光装置を利用した補助照明付きドライバーの斜視図。
【図５】発光装置を利用した補助照明付きステッキの斜視図。
【図６】発光装置を利用した電飾照明付きマドラーの斜視図。
【発明を実施するための形態】
【００２２】
発光装置１０Ａの回路図の一例を示す図１等の添付の図面を参照し、本発明に係る発光装置の最良の形態を説明すると、以下のとおりである。発光装置１０Ａは、直列に接続された３つのボタン電池１１（直流電源）と、並列に並ぶ３つの発光ダイオード１２（発光素子）と、第１スイッチング素子１３（ＭＯＳ−ＦＥＴ）と、コンデンサー１４と、第２スイッチング素子１５（ＭＯＳ−ＦＥＴ）と、ピエゾ発電素子１６（圧電素子）とから形成されている。発光装置１０Ａは、それら発光ダイオード１２をボタン電池１１によって発光させる直流点灯装置である。
【００２３】
それら発光ダイオード１２と第１スイッチング素子１３とは、ボタン電池１１に対して並列に接続されている。発光ダイオード１２においてボタン電池１１の直流電流が順方向へ流れるようにそれら発光ダイオード１２が配置されている。なお、ボタン電池１１の個数に特に限定はなく、所期する発光ダイオード１２の発光強度に対応する個数に設定される。また、発光装置１０Ａでは、ボタン電池１１に代えて、直流電源としてアルカリ電池等の他のあらゆる一次電池を利用することができる。
【００２４】
発光ダイオード１２の発光波長や発光輝度、変換効率等について特に限定はなく、紫外光や青色、緑色に発光するＧａＩｎＮ、緑色や黄緑色に発光するＩｎＧａＡＩＰ／ＧａＡｓ、黄色に発光するＩｎＧａＡＩＰ／ＧａＰ、赤色に発光するＩｎＧａＡＩＰやＧａＡＩＡｓ、赤外光に発光するＧａＡＩＡｓやＧａＡｓ等のあらゆるものを使用することができる。この発光装置１０Ａでは、発光ダイオード１２に代えて、発光素子としてレーザーダイオードや豆電球、ビリケン球、ニップル球、探見球、麦球を使用することもできる。
【００２５】
第１スイッチング素子１３には、ＭＯＳ−ＦＥＴが使用されている。第１スイッチング素子１３は、発光ダイオード１２に印加される電圧をＯＮ／ＯＦＦする。第１スイッチング素子１３であるＭＯＳ−ＦＥＴは、そのドレイン電極１３ａが発光ダイオード１２のＮチャネルに電気的に接続され、そのソース電極１３ｂがボタン電池１１のプラス端子に電気的に接続されている。発光ダイオード１２のＮチャネルと第１スイッチング素子１３のドレイン電極１３ａとの間には、抵抗１７が電気的に接続されている。発光ダイオード１２のＰチャネルは、ボタン電池１１のマイナス端子に電気的に接続されている。
【００２６】
コンデンサー１４と第２スイッチング素子１５とは、ボタン電池１１に対して並列に接続されている。コンデンサー１４は、第１スイッチング素子１３をＯＮさせるための電荷を蓄える。コンデンサー１４は、第１端子１４ａが第１スイッチング素子１３であるＭＯＳ−ＦＥＴのゲート電極１３ｃに電気的に接続され、第２端子１４ｂがボタン電池１１のプラス端子に電気的に接続されている。なお、コンデンサー１４の静電容量について特に限定はない。第１スイッチング素子１３のゲート電極１３ｃとコンデンサー１４の第１端子１４ａとの間には、抵抗１８が電気的に接続されている。第１スイッチング素子１３のゲート電極１３ｃには、バイアス抵抗４３が接続されている。
【００２７】
第２スイッチング素子１５には、ＭＯＳ−ＦＥＴが使用されている。第２スイッチング素子１５は、コンデンサー１４に印加される電圧をＯＮ／ＯＦＦする。第２スイッチング素子１５であるＭＯＳ−ＦＥＴは、そのドレイン電極１５ａがボタン電池１１のマイナス端子に電気的に接続され、そのソース電極１５ｂがコンデンサー１４の第１端子１４ａに電気的に接続されている。
【００２８】
ピエゾ発電素子１６は、第２スイッチング素子１５をＯＮさせる。ピエゾ発電素子１６は、その第１端子１６ａが第２スイッチング素子１５であるＭＯＳ−ＦＥＴのゲート電極１５ｃに電気的に接続され、その第２端子１６ｂがボタン電池１１のマイナス端子に電気的に接続されている。ピエゾ発電素子１６の第１電極１６ａと第２スイッチング素子１５のゲート電極１５ｃとの間には、抵抗１９が電気的に接続されている。第２スイッチング素子１５のゲート電極１５ｃには、バイアス抵抗２６が接続されている。なお、第１および第２スイッチング素子１３，１５には、ＭＯＳ−ＦＥＴの他に、他のトランジスタを使用することもできる。
【００２９】
この発光装置１０Ａの動作を説明すると、以下のとおりである。なお、ボタン電池１１による電圧は、発光ダイオード１２のＰチャネルと第１スイッチング素子１３のソース電極１３ｂとの間に加えられ、第２スイッチング素子１５のドレイン電極１５ａとコンデンサー１４の第２端子１４ｂとの間に加えられている。ピエゾ発電素子１６に所定の電圧が生じていない状態では、第２スイッチング素子１５のゲート電極１５ｃに電圧がかかっておらず、第２スイッチング素子１５がＯＦＦ状態となっている。また、第１スイッチング素子１３のゲート電極１３ｃに電圧がかかっておらず、第１スイッチング素子１３がＯＦＦ状態となっている。
【００３０】
ピエゾ発電素子１６に所定の衝撃が加えられ、その振動によってピエゾ発電素子１６の両端に所定の電圧が生じた場合、ピエゾ発電素子１６に生じた電圧が第２スイッチング素子１５のゲート電極１５ｃにかかる。ゲート電極１５ｃに電圧がかかると、第２スイッチング素子１５のドレイン−ソース間にボタン電池１１の電流が流れ、第２スイッチング素子１５がＯＮ状態になる。第２スイッチング素子１５がＯＮ状態になると、ボタン電池１１からコンデンサー１４に所定の電圧が印加され、コンデンサー１４に電荷が蓄えられる。ピエゾ発電素子１６に生じた電圧が消滅すると、第２スイッチング素子１５のゲート電極１５ｃにかかっていた電圧が０になり、第２スイッチング素子１５のドレイン−ソース間に流れていたボタン電池１１の電流が切れ、第２スイッチング素子１５がＯＦＦ状態になり、ボタン電池１１からのコンデンサー１４に対する電圧の印加が停止する。
【００３１】
ボタン電池１１からのコンデンサー１４への電圧の印加時間は、ピエゾ発電素子１６の発電量に比例し、ピエゾ発電素子１６の発電量が多ければ、その分、ボタン電池１１からコンデンサー１４への電圧の印加時間が長くなる。ボタン電池１１からコンデンサー１４への電圧の印加時間が長くなると、コンデンサー１４の静電容量にもよるが、コンデンサー１４に蓄えられる（蓄電）電荷の量が増加する。
【００３２】
その後、コンデンサー１４は、蓄えた電荷を放出（放電）する。コンデンサー１４が電荷を放出すると、その電荷（電圧）が第１スイッチング素子１３のゲート電極１３ｃにかかる。ゲート電極１３ｃに電圧がかかると、第１スイッチング素子１３のドレイン−ソース間にボタン電池１１の電流が流れ、第１スイッチング素子１３がＯＮ状態になる。第１スイッチング素子１３がＯＮ状態になると、ボタン電池１１から各発光ダイオード１２に所定の電圧が印加され、それら発光ダイオード１２にボタン電池１１の直流電流が流れる。発光ダイオード１２にボタン電池１１の直流電流が流れると、電流（ＩＦ）の大きさに比例した発光強度で発光ダイオード１２が発光する。なお、第１および第２スイッチング素子１３，１５はそのゲート電極１３ｃ，１５ｃに電圧がかかると、直ちにＯＮ状態となるから、ピエゾ発電素子１６に所定の衝撃が加えられることで、発光ダイオード１２が瞬時に発光する。
【００３３】
ボタン電池１１からの発光ダイオード１２への電圧の印加時間は、コンデンサー１４の蓄電量（静電容量）に比例し、コンデンサー１４の蓄電量が多ければ、その分、ボタン電池１１から発光ダイオード１２への電圧の印加時間が長くなる。ボタン電池１１から発光ダイオード１２への電圧の印加時間が長くなると、発光ダイオード１２の発光時間が長くなる。コンデンサー１４からの電荷の放出が終了すると、第１スイッチング素子１３のゲート電極１３ｃにかかっていた電圧が０になり、第１スイッチング素子１３のドレイン−ソース間に流れていたボタン電池１１の電流が切れ、第１スイッチング素子１３がＯＦＦ状態になる。第１スイッチング素子１３がＯＦＦ状態になると、発光ダイオード１２の発光が停止する。なお、コンデンサー１４から放出される電荷は時間の経過とともに次第に少なくなり、それに対応するように、第１スイッチング素子１３のドレイン−ソース間に流れる電流が次第に少なくなるとともに、発光ダイオード１２の発光が次第に弱くなる。したがって、発光ダイオード１２が瞬時に消灯することはなく、発光ダイオード１２の発光が徐々に弱くなる。
【００３４】
発光装置１０Ａでは、コンデンサー１４の静電容量を大きくすることで、コンデンサー１４に蓄電される電荷の量を多くすることができ、コンデンサー１４から第１スイッチング素子１３への電荷の放電時間が長くなり、ボタン電池１１から発光ダイオード１２への電圧の印加時間が長くなって、その分、発光ダイオード１２の発光時間を長くすることができる。逆に、コンデンサー１４の静電容量を小さくすることで、コンデンサー１４に蓄電される電荷の量を少なくすることができ、コンデンサー１４から第１スイッチング素子１３への電荷の放電時間が短くなり、ボタン電池１１から発光ダイオード１２への電圧の印加時間が短くなって、その分、発光ダイオード１２の発光時間を短くすることができる。
【００３５】
この発光装置１０Ａでは、コンデンサー１４の静電容量を変更することによって、発光ダイオード１２の発光時間を変更することができ、コンデンサー１４の静電容量を調節することによって、発光ダイオード１２の発光時間を自由に変えることができ、発光ダイオード１２の発光時間を装置１０Ａの用途に対応させることができる。
【００３６】
発光装置１０Ａでは、ピエゾ発電素子１６の発電量を多くすることで、第２スイッチング素子１５のＯＮ時間を長くすることができ、ボタン電池１１からコンデンサー１４への電圧の印加時間が長くなり、コンデンサー１４に蓄えられる（蓄電）電荷の量が増加し、コンデンサー１４から第１スイッチング素子１３への電荷の放電時間が長くなって、その分、発光ダイオード１２の発光時間を長くすることができる。逆に、ピエゾ発電素子１６の発電量を少なくすることで、第２スイッチング素子１５のＯＮ時間を短くすることができ、ボタン電池１１からコンデンサー１４への電圧の印加時間が短くなり、コンデンサー１４に蓄えられる（蓄電）電荷の量が減少し、コンデンサー１４から第１スイッチング素子１３への電荷の放電時間が短くなって、その分、発光ダイオード１２の発光時間を短くすることができる。
【００３７】
この発光装置１０Ａでは、ピエゾ発電素子１６の発電量を変更することによって、発光ダイオード１２の発光時間を変更することができ、ピエゾ発電素子１６の発電量を調節することによって、発光ダイオード１２の発光時間を自由に変えることができ、発光ダイオード１２の発光時間を装置１０Ａの用途に対応させることができる。なお、ピエゾ発電素子１６の発電量を多くする手段として、ピエゾ発電素子１６に大きな衝撃（振動）を与える場合、発電容量の大きいピエゾ発電素子１６を使用する場合、それらの両者を併用する場合がある。
【００３８】
発光装置１０Ａは、振動がピエゾ発電素子１６に伝達され、振動をトリガーとして発光ダイオード１２を点灯させることができ、振動を受けたときにのみ発光ダイオード１２を点灯させる用途に使用することができる。発光装置１０Ａは、コンデンサー１４からの電荷の放出が停止すると、第１スイッチング素子１３がＯＦＦ状態となり、ボタン電池１１から発光ダイオード１２への電圧の印加が停止して発光ダイオード１２が消灯するから、振動が停止した後に発光ダイオード１２の発光が継続することはなく、ボタン電池１１（直流電源）における消費電力を少なくすることができる。また、コンデンサー１４からの電荷の放出が徐々に少なくなるから、発光ダイオード１２がゆっくりと消灯し、発光ダイオード１２が瞬時に消灯することはない。この発光装置１０Ａは、それにデジタル回路が使用されておらず、デジタル回路を安定的に動作させるために所定の電圧をデジタル回路に加えておく必要はなく、装置１０Ａにおける省電力化を図ることができる。
【００３９】
図２は、発光装置１０Ａを利用した一例として示す振動発光電飾ライト２０の斜視図である。振動発光電飾ライト２０は、図１の発光装置１０Ａと、発光ダイオード１２を収容した電飾用カバー２１と、ケーシング２２とから作られている。電飾用カバー２１は、中空の球状に成形され、発光ダイオード１２を包被している。電飾用カバー２１は、半透明や透明なアクリル樹脂から作られ、発光ダイオード１２から発生した光を放射可能である。電飾用カバー２１は、アクリル樹脂の他に、ポリカーボネート等の他の合成樹脂やガラスから作ることもできる。
【００４０】
なお、図示の電飾用カバー２１はその形状が球状であるが、カバー２１の形状を球状に限定するものではなく、発光ダイオード１２を収容可能であれば、カバー２１を他のあらゆる形状にすることができる。電飾用カバー２１の内周面には、チタン白（ＴｉＯ２）や沈降性硫酸バリウム（ＢａＳＯ４）から作られた導光塗料がドット状に塗布されていてもよい。また、電飾用カバー２１は、シリカや炭酸バリウム、チタン酸バリウム等の白色の微粉末を練り込んだ乳白色のアクリル樹脂やポリカーボネートから作られ、光拡散機能を備えていてもよい。
【００４１】
ケーシング２２は、カバー２１と同様に、半透明なアクリル樹脂から作られ、中空の円柱状に成形されている。ケーシング２２は、アクリル樹脂の他に、他の合成樹脂から作ることもできる。ケーシング２２には、ボタン電池１２と第１および第２スイッチング素子１３，１５とコンデンサー１４と圧電素子１６と（図１の回路）が収容されている。ケーシング２２は、その上端部２３が電飾用カバー２１の下端部２４に接合され、カバー２１と一体になっている。なお、図示のケーシング２２はその形状が円柱状であるが、ケーシング２２の形状を円柱状に限定するものではなく、発光装置１０Ａを収容可能であれば、ケーシング２２を他のあらゆる形状にすることができる。
【００４２】
この振動発光電飾ライト２０を発光させるには、たとえば、ケーシング２２を指で持ち、ライト２０を上下左右等の四方へ揺り動かす。ライト２０を揺り動かすと、その振動がケーシング２２に収容されたピエゾ発電素子１６に伝わり、ピエゾ発電素子１６の両端に所定の電圧が生じ、第２スイッチング素子１５がＯＮ状態になって、ボタン電池１１からコンデンサー１４に電荷が蓄えられる。さらに、コンデンサー１４が電荷を放出すると、第１スイッチング素子１３がＯＮ状態になって、発光ダイオード１２にボタン電池１１の直流電流が流れ、発光ダイオード１２が発光する。発光ダイオード１２が発光すると、その光が電飾用カバー２１を透過してカバー２１から照射される。
【００４３】
指の動きを止め、振動発光電飾ライト２０を静止させると、ピエゾ発電素子１６の発電が停止し、第２スイッチング素子１５がＯＦＦ状態になって、ボタン電池１１からのコンデンサー１４に対する電圧の印加が停止する。さらに、コンデンサー１４からの電荷の放出が終了すると、第１スイッチング素子１３がＯＦＦ状態になって、発光ダイオード１２の発光が次第に弱くなり、指の動きを止めてから所定の時間が経過した後、発光ダイオード１２が消灯する。この振動発光電飾ライト２０の発光時間を長くするには、ライト２０を継続して揺り動かすか、または、ライト２０を激しく振動させる。ライト２０を激しく振動させると、ピエゾ発電素子１６の発電量が多くなるとともに、コンデンサー１４に蓄えられる（蓄電）電荷の量が増加し、ライト２０が長く発光する。この発光装置１０Ａは、それを振動によって発光する電飾ライトとして利用することができ、電飾用カバー２１を種々の形状にすることで、様々な形態の電飾ライトにすることができる。
【００４４】
図３は、他の一例として示す発光装置１０Ｂの回路図である。この発光装置１０Ｂは、直列に接続された３つのボタン電池１１（直流電源）と、並列に並ぶ３つの発光ダイオード１２（発光素子）と、第１スイッチング素子１３（ＭＯＳ−ＦＥＴ）と、コンデンサー１４と、第２スイッチング素子１５（ＭＯＳ−ＦＥＴ）と、ピエゾ発電素子１６（圧電素子）と、フォトダイオード２５（光検出器）とから形成されている。発光装置１０Ｂは、図１のそれと同様に、それら発光ダイオード１２をボタン電池１１によって発光させる直流点灯装置である。
【００４５】
この発光装置１０Ｂが図１のそれと異なるところは第２スイッチング素子１５のゲート電極１５ｃにフォトダイオード２５が接続されている点にあり、この発光装置１０Ｂにおけるその他の構成は図１のそれらと同一であるから、図１と同一の符号を付すとともに、図１の発光装置１０Ａの説明を援用することで、この発光装置１０Ｂにおけるその他の構成の説明は省略する。
【００４６】
フォトダイオード２５は、そのＰチャネルが第２スイッチング素子１５のゲート電極１５ｃに電気的に接続され、そのＮチャネルがボタン電池１１のプラス端子に電気的に接続されている。フォトダイオード２５には、抵抗２６が並列に接続されている。フォトダイオード２５は、異なる感度のそれを使用することで、受光した光の強度の大小に応じて作動するから、感度を選択することで、薄暗い場所で発光装置１０Ｂを発光させることができ、または、薄暗い場所で発光装置１０Ｂを発光させないこともできる。なお、光検出器には、フォトダイオード２５の他に、フォトトランジスタを使用することもできる。
【００４７】
この発光装置１０Ｂの動作を説明すると、以下のとおりである。なお、ボタン電池１１による電圧は、図１の発光装置１０Ａと同様に、発光ダイオード１２のＰチャネルと第１スイッチング素子１３のソース電極１３ｂとの間に加えられ、第２スイッチング素子１５のドレイン電極１５ａとコンデンサー１４の第２端子１４ｂとの間に加えられている。ピエゾ発電素子１６に所定の電圧が生じていない状態では、第２スイッチング素子１５のゲート電極１５ｃに電圧がかかっておらず、第２スイッチング素子１５がＯＦＦ状態となっている。また、第１スイッチング素子１３のゲート電極１３ｃに電圧がかかっておらず、第１スイッチング素子１３がＯＦＦ状態となっている。さらに、フォトダイオード２５に所定強度の光が入光している場合、フォトダイオード２５が導通状態となる。逆に、フォトダイオード２５に光が入光していない場合、フォトダイオード２５が非導通状態となる。
【００４８】
ピエゾ発電素子１６に所定の衝撃が加えられ、その振動によってピエゾ発電素子１６の両端に所定の電圧が生じ、さらに、フォトダイオード２５に光が入光していない場合、フォトダイオード２５が非導通状態となり、フォトダイオード２５に電流が流れることはなく、ピエゾ発電素子１６に生じた電圧が第２スイッチング素子１５のゲート電極１５ｃにかかる。ゲート電極１５ｃに電圧がかかると、第２スイッチング素子１５のドレイン−ソース間にボタン電池１１の電流が流れ、第２スイッチング素子１５がＯＮ状態になる。なお、フォトダイオード２５に光が入光している場合、フォトダイオード２５が導通状態となり、フォトダイオード２５に電流が流れ、ピエゾ発電素子１６に生じた電圧が第２スイッチング素子１５のゲート電極１５ｃにかからず、第２スイッチング素子１５がＯＦＦの状態とままなる。
【００４９】
第２スイッチング素子１５がＯＮ状態になると、ボタン電池１１からコンデンサー１４に所定の電圧が印加され、コンデンサー１４に電荷が蓄えられる。フォトダイオード２５に光が入光している場合、ボタン電池１１の電圧がコンデンサー１４に印加されることはなく、コンデンサー１４に電荷が蓄電されることはない。ピエゾ発電素子１６に生じた電圧が消滅すると、第２スイッチング素子１５のゲート電極１５ｃにかかっていた電圧が０になり、第２スイッチング素子１５のドレイン−ソース間に流れていたボタン電池１１の電流が切れ、第２スイッチング素子１５がＯＦＦ状態になり、ボタン電池１１からのコンデンサー１４に対する電圧の印加が停止する。
【００５０】
蓄えた電荷をコンデンサー１４が放出すると、その電荷（電圧）が第１スイッチング素子１３のゲート電極１３ｃにかかる。ゲート電極１３ｃに電圧がかかると、第１スイッチング素子１３のドレイン−ソース間にボタン電池１１の電流が流れ、第１スイッチング素子１３がＯＮ状態になる。第１スイッチング素子１３がＯＮ状態になると、ボタン電池１１から各発光ダイオード１２に所定の電圧が印加され、それら発光ダイオード１２にボタン電池１１の直流電流が流れる。発光ダイオード１２にボタン電池１１の直流電流が流れると、電流（ＩＦ）の大きさに比例した発光強度で発光ダイオード１２が発光する。コンデンサー１４からの電荷の放出が終了すると、第１スイッチング素子１３のゲート電極１３ｃにかかっていた電圧が０になり、第１スイッチング素子１３のドレイン−ソース間に流れていたボタン電池１１の電流が切れ、第１スイッチング素子１３がＯＦＦ状態になる。第１スイッチング素子１３がＯＦＦ状態になると、発光ダイオード１２の発光が停止する。
【００５１】
発光装置１０Ｂでは、図１のそれと同様に、コンデンサー１４の静電容量を大きくすることで、コンデンサー１４に蓄電される電荷の量を多くすることができ、発光ダイオード１２の発光時間を長くすることができる。逆に、コンデンサー１４の静電容量を小さくすることで、コンデンサー１１４に蓄電される電荷の量を少なくすることができ、発光ダイオード１２の発光時間を短くすることができる。発光装置１０Ｂでは、ピエゾ発電素子１６の発電量を多くすることで、第２スイッチング素子１５のＯＮ時間を長くすることができ、コンデンサー１４に蓄えられる電荷の量が増加し、発光ダイオード１２の発光時間を長くすることができる。逆に、ピエゾ発電素子１６の発電量を少なくすることで、第２スイッチング素子１５のＯＮ時間を短くすることができ、コンデンサー１４に蓄えられる電荷の量が減少し、発光ダイオード１２の発光時間を短くすることができる。
【００５２】
発光装置１０Ｂでは、コンデンサー１４の静電容量を変更することによって、発光ダイオード１２の発光時間を変更することができ、コンデンサー１４の静電容量を調節することによって、発光ダイオード１２の発光時間を自由に変えることができる。この発光装置１０Ｂでは、ピエゾ発電素子１６の発電量を変更することによって、発光ダイオード１２の発光時間を変更することができ、ピエゾ発電素子１６の発電量を調節することによって、発光ダイオード１２の発光時間を自由に変えることができる。
【００５３】
発光装置１０Ｂは、図１のそれが有する効果に加え、以下の効果を有する。発光装置１０Ｂは、フォトダイオード２５を利用することで、周囲の明暗によって発光ダイオード１２を明滅させることができるから、発光ダイオード１２の発光の必要がない昼間等において発光ダイオード１２の無駄な発光を防ぐことができ、装置１０Ｂにおける省電力化を図ることができる。この発光装置１０Ｂは、発光ダイオード１２の発光が必要な夜間等において発光装置１０Ｂに振動が伝達されると、発光ダイオード１２が発光するから、振動を受けたときであって発光が必要なときに発光ダイオード１２を点灯させる用途に使用することができる。
【００５４】
図４は、発光装置１０Ｂを利用した補助照明付きドライバー２７の斜視図である。補助照明付きドライバー２７は、ドライバー本体２８（振動伝達器具）と、図２の発光装置１０Ｂと、発光ダイオード１２を収容したカバー２９と、ケーシング３０とから作られている。カバー２９は、中空の円柱状に成形され、発光ダイオード１２を包被している。カバー２９は、半透明なアクリル樹脂から作られ、発光ダイオード１２から発生した光を放射可能である。
【００５５】
ケーシング３０は、カバー２９と同様に、半透明なアクリル樹脂から作られ、中空の円柱状に成形されている。ケーシング３０には、ボタン電池１１と第１および第２スイッチング素子１３，１５とコンデンサー１４と圧電素子１６とフォトダイオード２５と（図３の回路）が収容されている。ケーシング３０は、その上端部３１がカバー２９の下端部３２に接合され、カバー２９と一体になり、その下端部３３がドライバー本体２８の把持部に接合され、ドライバー本体２８と一体になっている。カバー２９やケーシング３０は、アクリル樹脂の他に、ポリカーボネート等の他の合成樹脂から作ることもできる。
【００５６】
夜間等に補助照明付きドライバー２７を使用する場合、ドライバー２７の把持部を握り、ドライバー２７を上下左右等の四方へ揺り動かす。ドライバー２７を揺り動かすと、その振動がケーシング３０に収容されたピエゾ発電素子１６に伝わり、ピエゾ発電素子１６の両端に所定の電圧が生じ、第２スイッチング素子１５がＯＮ状態になって、ボタン電池１１からコンデンサー１４に電荷が蓄えられる。さらに、コンデンサー１４が電荷を放出すると、第１スイッチング素子１３がＯＮ状態になって、発光ダイオード１２にボタン電池１１の直流電流が流れ、発光ダイオード１２が発光する。発光ダイオード１２が発光すると、その光がカバー２９を透過してカバー２９から照射される。発光ダイオード１２の光を作業誘導ライトとして利用することで、夜間等であってもドライバー２７によって螺子を回すことができる。
【００５７】
ドライバー２７を静止させると、ピエゾ発電素子１６の発電が停止し、第２スイッチング素子１５がＯＦＦ状態になって、ボタン電池１１からのコンデンサー１４に対する電圧の印加が停止する。さらに、コンデンサー１４からの電荷の放出が終了すると、第１スイッチング素子１３がＯＦＦ状態になって、発光ダイオード１２の発光が次第に弱くなり、ドライバー２７を静止させてから所定の時間が経過した後、発光ダイオード１２が消灯する。ドライバー２７の発光時間を長くするには、ドライバー２７を激しく振動させる。
【００５８】
発光装置１０Ｂは、それをドライバー本体２８（振動伝達器具）に取り付けることで、それを振動によって発光する夜間の作業誘導ライトとして利用することができる。発光装置１０Ｂは、フォトダイオード２５が設定量以上の光を検出中に、第２スイッチング素子１５とピエゾ発電素子１６との導通がＯＦＦ状態になるから、外部が明るい昼間等において発光ダイオード１２の発光を止めることができ、誘導を必要とする外部が暗い夜間等にのみ発光ダイオード１２を発光させることができる。この発光装置１０Ｂは、光が必要な場合にのみ発光ダイオード１２を発光させることができるから、光が不必要な場合にまで発光ダイオード１２を発光させる場合と比較し、ボタン電池１１の消費電力を少なくすることができ、電池１１を長持ちさせることができる。
【００５９】
図５は、発光装置１０Ｂを利用した補助照明付きステッキ３４の斜視図である。補助照明付きステッキ３４は、ステッキ本体３５（振動伝達器具）と、図２の発光装置１０Ｂと、発光ダイオード１２を収容したカバー３６と、ケーシング３７とから作られている。カバー３６は、中空の円柱状に成形され、発光ダイオード１２を包被している。カバー３６は、透明または半透明なアクリル樹脂から作られ、発光ダイオード１２から発生した光を放射可能である。
【００６０】
ケーシング３７は、カバー３６と同様に、半透明なアクリル樹脂から作られ、中空の円柱状に成形されている。ケーシング３７には、ボタン電池１１と第１および第２スイッチング素子１３，１５とコンデンサー１４と圧電素子１６とフォトダイオード２５と（図３の回路）が収容されている。ケーシング３７は、その下端部３８がカバー３６の上端部３９に接合され、カバー３６と一体になり、その上端部４０がステッキ本体３５の杖先４１に接合され、ステッキ本体３５と一体になっている。カバー２９やケーシング３０は、アクリル樹脂の他に、ポリカーボネート等の他の合成樹脂から作ることもできる。
【００６１】
夜間等に補助照明付きステッキ３４を使用する場合、ステッキ３４の握持部４２を手で握り、ステッキ３４の杖先４１（カバー３６）を地面に付けたり離したりしながら歩行する。地面に対する杖先４１の当接・離間を繰り返すと、その振動がケーシング３７に収容されたピエゾ発電素子１６に伝わり、ピエゾ発電素子１６の両端に所定の電圧が生じ、第２スイッチング素子１５がＯＮ状態になって、ボタン電池１１からコンデンサー１４に電荷が蓄えられる。さらに、コンデンサー１４が電荷を放出すると、第１スイッチング素子１３がＯＮ状態になって、発光ダイオード１２にボタン電池１１の直流電流が流れ、発光ダイオード１２が発光する。発光ダイオード１２が発光すると、その光がカバー３６を透過してカバー３６から照射される。歩行中は発光ダイオード１２が発光を継続するから、夜間等であっても発光ダイオード１２の光を歩行用誘導ライトや歩行者確認用誘導ライトとして安全に歩行することができる。
【００６２】
ステッキ３４を静止させると、ピエゾ発電素子１６の発電が停止し、第２スイッチング素子１５がＯＦＦ状態になって、ボタン電池１１からのコンデンサー１４に対する電圧の印加が停止する。さらに、コンデンサー１４からの電荷の放出が終了すると、第１スイッチング素子１３がＯＦＦ状態になって、発光ダイオード１２の発光が次第に弱くなり、ステッキ３４を静止させてから所定の時間が経過した後、発光ダイオード１２が消灯する。
【００６３】
発光装置１０Ｂは、それをステッキ本体３５（振動伝達器具）に取り付けることで、それを振動によって発光する夜間の歩行用誘導ライトや歩行者確認用誘導ライトとして利用することができる。発光装置１０Ｂは、フォトダイオード２５が設定量以上の光を検出中に、第２スイッチング素子１５とピエゾ発電素子１６との導通がＯＦＦ状態になるから、外部が明るい昼間等において発光ダイオード１２の発光を止めることができ、誘導を必要とする外部が暗い夜間等にのみ発光ダイオード１２を発光させることができる。この発光装置１０Ｂは、光が必要な場合にのみ発光ダイオード１２を発光させることができるから、光が不必要な場合にまで発光ダイオード１２を発光させる場合と比較し、ボタン電池１１の消費電力を少なくすることができ、電池１１を長持ちさせることができる。
【００６４】
図６は、発光装置１０Ａを利用した電飾照明付きマドラー４４の斜視図である。電飾照明付きマドラー４４（cocktail stirrer）は、マドラー本体４５（振動伝達器具）と、図１の発光装置１０Ａと、発光ダイオード１２を収容したカバー４６と、ケーシング４７とから作られている。マドラー本体４５は、透明なアクリル樹脂から作られた円柱状の上端部４８と、透明なアクリル樹脂から作られた円柱状の細長い中間部４９と、半透明なアクリル樹脂から作られた下端部５０とを有する。マドラー本体４５は、その上端部４８がカバー４６に嵌め込まれた状態でカバー４６に接合され、カバー４６と一体になっている。マドラー本体４５の下端部５０は、球状に成形されている。カバー４６は、中空の円柱状に成形され、発光ダイオード１２を包被している。カバー４６は、半透明なアクリル樹脂から作られ、発光ダイオード１２から発生した光を放射可能である。
【００６５】
ケーシング４７は、カバー４６と同様に、半透明なアクリル樹脂から作られ、中空の円柱状に成形されている。ケーシング４６には、ボタン電池１１と第１および第２スイッチング素子１３，１５とコンデンサー１４と圧電素子１６と（図１の回路）が収容されている。ケーシング４７は、その下端部５１がカバー４６の上端部５２に接合され、カバー４６と一体になっている。マドラー本体４５やカバー４６、ケーシング４７は、アクリル樹脂の他に、ポリカーボネート等の他の合成樹脂から作ることもできる。
【００６６】
電飾照明付きマドラー４４は、たとえば、カバー４６やケーシング４７を指で持ち、マドラー本体４５の下端部５０と中間部４９とをグラス（図示せず）の中に入れ、マドラー４４でグラスの中の飲み物を掻き混ぜる。マドラー４４で飲み物を掻き混ぜると、その振動がケーシング４７に収容されたピエゾ発電素子１６に伝わり、ピエゾ発電素子１６の両端に所定の電圧が生じ、第２スイッチング素子１５がＯＮ状態になって、ボタン電池１１からコンデンサー１４に電荷が蓄えられる。さらに、コンデンサー１４が電荷を放出すると、第１スイッチング素子１３がＯＮ状態になって、発光ダイオード１２にボタン電池１１の直流電流が流れ、発光ダイオード１２が発光する。発光ダイオード１２が発光すると、その光がカバー４６を透過してカバー４６から照射されるとともに、その光がマドラー本体４５の中間部４９表面を伝播し、本体４５の球状かつ半透明の下端部５０に達する。マドラー本体４５の下端部５０に達した光は、下端部５０において拡散し、四方に光を放射する。ゆえに、このマドラー４４は、カバー４６および本体４５の下端部５０において発光する。
【００６７】
指の動きを止め、マドラー４４を静止させると、ピエゾ発電素子１６の発電が停止し、第２スイッチング素子１５がＯＦＦ状態になって、ボタン電池１１からのコンデンサー１４に対する電圧の印加が停止する。さらに、コンデンサー１４からの電荷の放出が終了すると、第１スイッチング素子１３がＯＦＦ状態になって、発光ダイオード１２の発光が次第に弱くなり、マドラー４４を静止させてから所定の時間が経過した後、発光ダイオード１２が消灯する。この電飾照明付きマドラー４４の発光時間を長くするには、マドラー４４を継続して動かすか、または、マドラー４４を激しく振動させる。マドラー４４を激しく振動させると、ピエゾ発電素子１６の発電量が多くなるとともに、コンデンサー１４に蓄えられる（蓄電）電荷の量が増加し、マドラー４４が長く発光する。この発光装置１０Ａは、それを振動によって発光する電飾ライトとして利用することができ、それをマドラー４４に取り付けることで、マドラー４４の使用時における演出効果を高めることができる。
【００６８】
図２の振動発光電飾ライト２０や図６の電飾照明付きマドラー４４には図１の発光装置１０Ａが利用されているが、それらに図３の発光装置１０Ｂを使用することもできる。また、図４の補助照明付きドライバー２７や図５の補助照明付きステッキ３４には図３の発光装置１０Ｂが利用されているが、それらに図１の発光装置１０Ａを使用することもできる。
【符号の説明】
【００６９】
１０Ａ  発光装置
１０Ｂ  発光装置
１１    ボタン電池（直流電源）
１２    発光ダイオード（発光素子）
１３    第１スイッチング素子
１４    コンデンサー
１５    第２スイッチング素子
１６    ピエゾ発電素子（圧電素子）
２０    振動発光電飾ライト
２１    電飾用カバー
２２    ケーシング
２５    フォトダイオード（光センサ）
２７    補助照明付きドライバー
２８    ドライバー本体（振動伝達器具）
２９    カバー
３０    ケーシング
３４    補助照明付きステッキ
３５    ステッキ本体（振動伝達器具）
３６    カバー
３７    ケーシング
４４    電飾照明付きマドラー
４５    マドラー本体
４６    カバー
４７    ケーシング
【図１】
2011159935.tif 000003
【図２】
2011159935.tif 000004
【図３】
2011159935.tif 000005
【図４】
2011159935.tif 000006
【図５】
2011159935.tif 000007
【図６】
2011159935.tif 000008